(57)【要約】  頭部装着ディスプレイ（ＨＭＤ）が、音声を伝送するストラップアームを含む。ＨＭＤは、前部剛性本体およびストラップアームを含む。ストラップアームは、ストラップアームを前部剛性本体に回転可能に接続する、開口部を有するボスを画定する本体部分を含む。本体部分は、音を伝送するための音声通路、および、音を出力するための音声ポートを画定する。音声通路は、本体部分に沿ってボスの開口部と音声ポートとの間に画定される。スピーカが、音声通路を通じて音声ポートへ音を送るために、開口部内などに位置決めされる。ストラップアームは、音声通路を通じて送られる音を増強する後方空間ユニットをさらに含むことができる。【選択図】図１
2020511828.tif 000002
【特許請求の範囲】
【請求項１】
前部剛性本体、および、
前記前部剛性本体を使用者の頭部に固定するストラップに取り付けられたストラップアーム
を備え、前記ストラップアームが、
その側部にボスを画定する本体部分であって、前記ボスが、開口部を有し、前記ボスが、前記ストラップアームを前記前部剛性本体に回転可能に接続し、前記本体部分が、音を伝送するための音声通路、および、前記音を出力するための音声ポートをさらに画定し、前記音声通路が、前記本体部分に沿って前記ボスの前記開口部と前記音声ポートとの間に画定される、本体部分と、
前記音声通路を通じて前記音声ポートへ前記音を送るように位置決めされたスピーカと、
を含む、頭部装着ディスプレイ（ＨＭＤ）。
【請求項２】
前記ストラップアームが、後方空間ユニットをさらに含み、前記後方空間ユニットが、
エンクロージャ部分と、
前記ボスの前記開口部を通して挿入される円筒柱であって、第２の開口部を画定し、前記スピーカが、前記スピーカから送られる前記音を増強するために、前記スピーカの裏側が前記エンクロージャ部分の内表面に面した状態で前記第２の開口部内に位置決めされて、前記内表面と前記スピーカの前記裏側との間に後方空間を画定し、前記スピーカからの前記音の少なくとも一部分が、前記後方空間から前記音声通路を通じて伝送される、円筒柱と、
を含む、請求項１に記載のＨＭＤ。
【請求項３】
前記スピーカが、前記本体部分の前記ボスの前記開口部内に位置決めされ、前記スピーカの表側が、前記音声通路に面する、請求項２に記載のＨＭＤ。
【請求項４】
前記ボスが、前記前部剛性本体の第２の開口部を貫通して、前記ストラップアームを前記前部剛性本体に回転可能に接続し、
前記エンクロージャ部分が、前記前部剛性本体内で前記第２の開口部の第１の側上に位置決めされ、前記ストラップアームの前記本体部分が、前記前部剛性本体の外側で前記第２の開口部の第２の側上に位置決めされる、
請求項２に記載のＨＭＤ。
【請求項５】
前記ストラップアームが、
前記本体部分の一方の端部に位置する後部ループと、
前記本体部分の他方の端部に位置する前部ループとをさらに含み、前記後部ループおよび前記前部ループが前記ストラップを受容する、
請求項１に記載のＨＭＤ。
【請求項６】
前記本体部分が、前記前部ループおよび前記後部ループを通して挿入される前記ストラップに面する支持表面を含む、請求項５に記載のＨＭＤ。
【請求項７】
前記音声ポートが、前記ボスを含む前記本体部分の前記側部上で前記前部ループよりも前記後部ループに近い位置に形成される、請求項５に記載のＨＭＤ。
【請求項８】
前記本体部分が、
ベース部分と、
前記ベース部分に固定されるカバー部分とを含み、前記音声通路が、前記ベース部分と前記カバー部分との間に画定される、
請求項１に記載のＨＭＤ。
【請求項９】
前記本体部分が、
第２の音声通路、および、
前記音声通路と前記第２の音声通路とを分離する中央リブ
をさらに画定する、請求項１に記載のＨＭＤ。
【請求項１０】
前記前部剛性本体が、前記ストラップの中央ブリッジを受容するための第２の開口部を画定する、請求項１に記載のＨＭＤ。
【請求項１１】
頭部装着ディスプレイ（ＨＭＤ）のためのストラップアームであって、
その側部にボスを画定する本体部分であり、前記ボスが、開口部を有し、前記ボスが、前記ストラップアームを前記ＨＭＤの前部剛性本体に回転可能に接続し、前記本体部分が、音を伝送するための音声通路、および、前記音を出力するための音声ポートをさらに画定し、前記音声通路が、前記本体部分に沿って前記ボスの前記開口部と前記音声ポートとの間に画定される、本体部分と、
前記音声通路を通じて前記音声ポートへ前記音を送るように位置決めされたスピーカと、
を備える、ストラップアーム。
【請求項１２】
後方空間ユニットをさらに備え、前記後方空間ユニットが、
エンクロージャ部分と、
前記ボスの前記開口部を通して挿入される円筒柱であって、第２の開口部を画定し、前記スピーカが、前記スピーカによって送られる前記音を増強するために、前記スピーカの裏側が前記エンクロージャ部分の内表面に面した状態で前記第２の開口部内に位置決めされて、前記内表面と前記スピーカの前記裏側との間に後方空間を画定し、前記スピーカからの前記音の少なくとも一部分が、前記後方空間から前記音声通路を通じて伝送される、円筒柱と、
を含む、請求項１１に記載のストラップアーム。
【請求項１３】
前記スピーカが、前記本体部分の前記ボスの前記開口部内に位置決めされ、前記スピーカの表側が、前記音声通路に面する、請求項１２に記載のストラップアーム。
【請求項１４】
前記ボスが、前記前部剛性本体の第２の開口部を貫通して、前記ストラップアームを前記前部剛性本体に回転可能に接続し、
前記エンクロージャ部分が、前記前部剛性本体内で前記第２の開口部の第１の側上に位置決めされ、前記ストラップアームの前記本体部分が、前記前部剛性本体の外側で前記第２の開口部の第２の側上に位置決めされる、
請求項１２に記載のストラップアーム。
【請求項１５】
前記本体部分の一方の端部に位置する後部ループと、
前記本体部分の他方の端部に位置する前部ループとをさらに含み、前記後部ループおよび前記前部ループが前記ストラップを受容する、
請求項１１に記載のストラップアーム。
【請求項１６】
前記本体部分が、前記前部ループおよび前記後部ループを通して挿入される前記ストラップに面する支持表面を含む、請求項１５に記載のストラップアーム。
【請求項１７】
前記音声ポートが、前記ボスを含む前記本体部分の前記側部上で前記前部ループよりも前記後部ループに近い位置に形成される、請求項１５に記載のストラップアーム。
【請求項１８】
前記本体部分が、
ベース部分と、
前記ベース部分に固定されるカバー部分とを含み、前記音声通路が、前記ベース部分と前記カバー部分との間に画定される、
請求項１１に記載のストラップアーム。
【請求項１９】
前記本体部分が、
第２の音声通路、および、
前記音声通路と前記第２の音声通路とを分離する中央リブ
をさらに画定する、請求項１１に記載のストラップアーム。
【請求項２０】
ハウジングと、
前記ハウジングを使用者の頭部に固定するストラップに取り付けられたストラップアームであって、その側部にボスを画定する本体部分を含み、前記ボスが、開口部を有し、前記ボスが、前記ストラップアームを前記ハウジングに回転可能に接続し、前記本体部分が、前記開口部から音を伝送するための音声通路、および、前記音を出力するための音声ポートをさらに画定し、前記音声通路が、前記本体部分に沿って前記ボスの前記開口部と前記音声ポートとの間に画定される、ストラップアームと、
を備える、頭部装着ディスプレイ（ＨＭＤ）。
【請求項２１】
前部剛性本体と、
前記前部剛性本体を使用者の頭部に固定するストラップに取り付けられたストラップアームと、
を備え、前記ストラップアームが、
その側部にボスを画定する本体部分であって、前記ボスが、開口部を有し、前記ボスが、前記ストラップアームを前記前部剛性本体に回転可能に接続し、前記本体部分が、音を伝送するための音声通路、および、前記音を出力するための音声ポートをさらに画定し、前記音声通路が、前記本体部分に沿って前記ボスの前記開口部と前記音声ポートとの間に画定される、本体部分と、
前記音声通路を通じて前記音声ポートへ前記音を送るように位置決めされたスピーカと、
を含む、頭部装着ディスプレイ（ＨＭＤ）。
【請求項２２】
前記ストラップアームが、後方空間ユニットをさらに含み、前記後方空間ユニットが、
エンクロージャ部分と、
前記ボスの前記開口部を通して挿入される円筒柱であって、第２の開口部を画定し、前記スピーカが、前記スピーカから送られる前記音を増強するために、前記スピーカの裏側が前記エンクロージャ部分の内表面に面した状態で前記第２の開口部内に位置決めされて、前記内表面と前記スピーカの前記裏側との間に後方空間を画定し、前記スピーカからの前記音の少なくとも一部分が、前記後方空間から前記音声通路を通じて伝送される、円筒柱と、
を含む、請求項２１に記載のＨＭＤ。
【請求項２３】
前記スピーカが、前記本体部分の前記ボスの前記開口部内に位置決めされ、前記スピーカの表側が、前記音声通路に面する、請求項２１または２２に記載のＨＭＤ。
【請求項２４】
前記ボスが、前記前部剛性本体の第２の開口部を貫通して、前記ストラップアームを前記前部剛性本体に回転可能に接続し、
前記エンクロージャ部分が、前記前部剛性本体内で前記第２の開口部の第１の側上に位置決めされ、前記ストラップアームの前記本体部分が、前記前部剛性本体の外側で前記第２の開口部の第２の側上に位置決めされる、
請求項２１から２３のいずれか一項に記載のＨＭＤ。
【請求項２５】
前記ストラップアームが、
前記本体部分の一方の端部に位置する後部ループと、
前記本体部分の他方の端部に位置する前部ループとをさらに含み、前記後部ループおよび前記前部ループが前記ストラップを受容し、
場合により、前記本体部分が、前記前部ループおよび前記後部ループを通して挿入される前記ストラップに面する支持表面を含み、かつ／または、
場合により、前記音声ポートが、前記ボスを含む前記本体部分の前記側部上で前記前部ループよりも前記後部ループに近い位置に形成される、
請求項２１から２４のいずれか一項に記載のＨＭＤ。
【請求項２６】
前記本体部分が、
ベース部分と、
前記ベース部分に固定されるカバー部分とを含み、前記音声通路が、前記ベース部分と前記カバー部分との間に画定される、
請求項２１から２５のいずれか一項に記載のＨＭＤ。
【請求項２７】
前記本体部分が、
第２の音声通路、および、
前記音声通路と前記第２の音声通路とを分離する中央リブ
をさらに画定する、請求項２１から２６のいずれか一項に記載のＨＭＤ。
【請求項２８】
前記前部剛性本体が、前記ストラップの中央ブリッジを受容するための第２の開口部を画定する、請求項２１から２７のいずれか一項に記載のＨＭＤ。
【請求項２９】
頭部装着ディスプレイ（ＨＭＤ）のためのストラップアームであって、
その側部にボスを画定する本体部分であり、前記ボスが、開口部を有し、前記ボスが、前記ストラップアームを前記ＨＭＤの前部剛性本体に回転可能に接続し、前記本体部分が、音を伝送するための音声通路、および、前記音を出力するための音声ポートをさらに画定し、前記音声通路が、前記本体部分に沿って前記ボスの前記開口部と前記音声ポートとの間に画定される、本体部分と、
前記音声通路を通じて前記音声ポートへ前記音を送るように位置決めされたスピーカと、
を備える、ストラップアーム。
【請求項３０】
後方空間ユニットをさらに備え、前記後方空間ユニットが、
エンクロージャ部分と、
前記ボスの前記開口部を通して挿入される円筒柱であって、第２の開口部を画定し、前記スピーカが、前記スピーカから送られる前記音を増強するために、前記スピーカの裏側が前記エンクロージャ部分の内表面に面した状態で前記第２の開口部内に位置決めされて、前記内表面と前記スピーカの前記裏側との間に後方空間を画定し、前記スピーカからの前記音の少なくとも一部分が、前記後方空間から前記音声通路を通じて伝送される、円筒柱と、
を含み、
場合により、前記スピーカが、前記本体部分の前記ボスの前記開口部内に位置決めされ、前記スピーカの表側が、前記音声通路に面し、かつ／または、
場合により、
前記ボスが、前記前部剛性本体の第２の開口部を貫通して、前記ストラップアームを前記前部剛性本体に回転可能に接続し、
前記エンクロージャ部分が、前記前部剛性本体内で前記第２の開口部の第１の側上に位置決めされ、前記ストラップアームの前記本体部分が、前記前部剛性本体の外側で前記第２の開口部の第２の側上に位置決めされる、
請求項２９に記載のストラップアーム。
【請求項３１】
前記本体部分の一方の端部に位置する後部ループと、
前記本体部分の他方の端部に位置する前部ループとをさらに含み、前記後部ループおよび前記前部ループが前記ストラップを受容し、
場合により、前記本体部分が、前記前部ループおよび前記後部ループを通して挿入される前記ストラップに面する支持表面を含み、かつ／または、
場合により、前記音声ポートが、前記ボスを含む前記本体部分の前記側部上で前記前部ループよりも前記後部ループに近い位置に形成される、
請求項２９または３０に記載のストラップアーム。
【請求項３２】
前記本体部分が、
ベース部分と、
前記ベース部分に固定されるカバー部分とを含み、前記音声通路が、前記ベース部分と前記カバー部分との間に画定される、
請求項２９から３１のいずれか一項に記載のストラップアーム。
【請求項３３】
前記本体部分が、
第２の音声通路、および、
前記音声通路と前記第２の音声通路とを分離する中央リブ
をさらに画定する、請求項２９から３２のいずれか一項に記載のストラップアーム。
【請求項３４】
ハウジングと、
前記ハウジングを使用者の頭部に固定するストラップに取り付けられたストラップアームであって、その側部にボスを画定する本体部分を含み、前記ボスが、開口部を有し、前記ボスが、前記ストラップアームを前記ハウジングに回転可能に接続し、前記本体部分が、前記開口部から音を伝送するための音声通路、および、前記音を出力するための音声ポートをさらに画定し、前記音声通路が、前記本体部分に沿って前記ボスの前記開口部と前記音声ポートとの間に画定される、ストラップアームと、
を備える、特に請求項２１から２８のいずれか一項に記載の頭部装着ディスプレイ（ＨＭＤ）。
【発明の詳細な説明】
【技術分野】
【０００１】
本開示は一般に、頭部装着ディスプレイのためのストラップシステムに関し、詳細には、音を伝送するための一体化された音声ポートを含むストラップシステムに関する。
【背景技術】
【０００２】
頭部装着ディスプレイ（ＨＭＤ）は、工学設計、医療手術練習、軍事模擬訓練、およびビデオゲーミングを含む様々な分野において広く応用されている。例えば、使用者がビデオゲームで遊ぶとき、仮想環境においてよりインタラクティブな体験することができるように、ＨＭＤを着用する。他のタイプのディスプレイデバイスとは対照的に、ＨＭＤは、使用者の頭部上に直接着用される。ＨＭＤは、使用者の顔面と直接に相互作用し得るが、その重さにより使用者の頭部に圧力を加える。したがって、快適な形でＨＭＤを使用者の頭部にしっかりと固定するために、ＨＭＤではストラップシステムが使用される。
【０００３】
ＨＭＤのための音声システムはまた、他のデバイスでは遭遇することがまれな制約を受ける。ＨＭＤの小型イヤホンまたはイヤホンは、小型イヤホンまたはイヤホンに信号を伝送するための線材のために、不便である。さらに、複数の使用者によりＨＭＤが使用される場合、小型イヤホンまたはイヤホンの共有は、衛生上の問題を引き起こし得る。
【発明の概要】
【０００４】
実施形態は、音声を伝送するストラップアームを含む頭部装着ディスプレイ（ＨＭＤ）に関する。ＨＭＤは、前部剛性本体、および、前部剛性本体を使用者の頭部に固定するストラップに取り付けられたストラップアームを含む。ストラップアームは、本体部分およびスピーカを含む。本体部分は、本体部分の側部にボスを画定する。ボスは、開口部を含み、かつ、ストラップアームを前部剛性本体に回転可能に接続する。本体部分は、音を伝送するための音声通路、および、音を出力するための音声ポートをさらに画定する。音声通路は、本体部分に沿ってボスの開口部と音声ポートとの間に存在する。スピーカは、音声通路を通じて音声ポートへ音を送るために、開口部内などに位置決めされる。
【０００５】
いくつかの実施形態では、ストラップアームは、後方空間ユニット（ｂａｃｋ  ｖｏｌｕｍｅ  ｕｎｉｔ）をさらに含む。後方空間ユニットは、エンクロージャ部分および円筒柱を含む。円筒柱は、ボスの開口部を通して挿入される。円筒柱は、第２の開口部を画定する。スピーカは、スピーカによって送られる音を増強するために、スピーカの裏側がエンクロージャ部分の内表面に面した状態で第２の開口部内に位置決めされて、内表面とスピーカの裏側との間に後方空間を画定する。スピーカからの音の少なくとも一部分は、後方空間から音声通路を通じて伝送される。
【０００６】
いくつかの実施形態は、頭部装着ディスプレイ（ＨＭＤ）のためのストラップアームを含む。ストラップアームは、本体部分およびスピーカを含む。本体部分は、本体部分の側部にボスを画定し、ボスは、開口部を有し、また、ボスは、ストラップアームをＨＭＤの前部剛性本体に回転可能に接続する。本体部分は、音を伝送するための音声通路、および、音を出力するための音声ポートをさらに画定する。音声通路は、本体部分に沿ってボスの開口部と音声ポートとの間に画定される。スピーカは、音声通路を通じて音声ポートへ音を送るために、開口部内などに位置決めされる。
【０００７】
いくつかの実施形態は、ハウジングおよびストラップアームを含むＨＭＤを具備する。ストラップアームは、ハウジングを使用者の頭部に固定するストラップに取り付けられる。ストラップアームは、その側部にボスを画定する本体部分を含む。ボスは、開口部を有し、また、ボスは、ストラップアームをハウジングに回転可能に接続する。本体部分は、開口部から音を伝送するための音声通路と、音を出力するための音声ポートとをさらに画定する。音声通路は、本体部分に沿ってボスの開口部と音声ポートとの間に画定される。
【０００８】
本発明による実施形態は、頭部装着ディスプレイ（ＨＭＤ）およびＨＭＤのためのストラップアームを対象とする添付の特許請求の範囲において具体的に開示され、特許請求の範囲では、１つの請求項のカテゴリ、例えばＨＭＤにおいて言及される任意の特徴が、別の請求項のカテゴリ、例えばシステム、方法、記憶媒体、およびコンピュータプログラム製品においても同様に特許請求され得る。添付の特許請求の範囲における従属関係または後方への参照は、単に形式上の理由のために選択されている。しかし、任意の前の請求項を意図的に後方に参照したこと（特に多数項従属性）から得られるいかなる主題も特許請求することができ、それにより、添付の特許請求の範囲において選択されている従属性に関わらず、請求項またはその特徴のいかなる組合せも開示されかつ特許請求され得る。特許請求され得る主題は、添付の特許請求の範囲に記載されている特徴の組合せだけでなく、特許請求の範囲における特徴の任意の他の組合せをも含み、特許請求の範囲において述べられる各特徴は、特許請求の範囲における任意の他の特徴または他の特徴の組合せと組み合わせられ得る。さらに、本明細書において説明または描写される実施形態および特徴のいずれもが、別の請求項で特許請求され、かつ／または、本明細書において説明または描写される任意の実施形態もしくは特徴とのあるいは添付の特許請求の範囲に記載の特徴のいずれかとの任意の組合せで特許請求され得る。
【０００９】
本発明による一実施形態では、頭部装着ディスプレイ（ＨＭＤ）が、
前部剛性本体、および、
前部剛性本体を使用者の頭部に固定するストラップに取り付けられたストラップアーム
を備えることができ、ストラップアームは、
その側部にボスを画定する本体部分であって、ボスが、開口部を有し、ボスが、ストラップアームを前部剛性本体に回転可能に接続し、本体部分が、音を伝送するための音声通路、および、音を出力するための音声ポートをさらに画定し、音声通路が、本体部分に沿ってボスの開口部と音声ポートとの間に画定される、本体部分と、
音声通路を通じて音声ポートへ音を送るように位置決めされたスピーカと、
を含む。
【００１０】
ストラップアームは、後方空間ユニットをさらに含むことができ、後方空間ユニットは、
エンクロージャ部分と、
ボスの開口部を通して挿入される円筒柱であって、第２の開口部を画定し、スピーカが、スピーカから送られる音を増強するために、スピーカの裏側がエンクロージャ部分の内表面に面した状態で第２の開口部内に位置決めされて、内表面とスピーカの裏側との間に後方空間を画定し、スピーカからの音の少なくとも一部分が、後方空間から音声通路を通じて伝送される、円筒柱と、
を含む。
【００１１】
スピーカは、本体部分のボスの開口部内に位置決めされてもよく、スピーカの表側は、音声通路に面してもよい。
【００１２】
ボスは、前部剛性本体の第２の開口部を貫通して、ストラップアームを前部剛性本体に回転可能に接続することができ、エンクロージャ部分は、前部剛性本体内で第２の開口部の第１の側上に位置決めされてもよく、ストラップアームの本体部分は、前部剛性本体の外側で第２の開口部の第２の側上に位置決めされてもよい。
【００１３】
ストラップアームは、本体部分の一方の端部に位置する後部ループ、および、本体部分の他方の端部に位置する前部ループを含むことができ、後部ループおよび前部ループは、ストラップを受容する。
【００１４】
本体部分は、前部ループおよび後部ループを通して挿入されるストラップに面する支持表面を含み得る。
【００１５】
音声ポートは、ボスを含む本体部分の側上で前部ループよりも後部ループに近い位置に形成され得る。
【００１６】
本体部分は、ベース部分、および、ベース部分に固定されるカバー部分を含むことができ、音声通路は、ベース部分とカバー部分との間に画定される。
【００１７】
本体部分は、第２の音声通路、および、音声通路と第２の音声通路とを分離する中央リブを画定し得る。
【００１８】
前部剛性本体は、ストラップの中央ブリッジを受容するための第２の開口部を画定し得る。
【００１９】
本発明による一実施形態では、頭部装着ディスプレイ（ＨＭＤ）のためのストラップアームが、
その側部にボスを画定する本体部分であって、ボスが、開口部を有し、ボスが、ストラップアームをＨＭＤの前部剛性本体に回転可能に接続し、本体部分が、音を伝送するための音声通路、および、音を出力するための音声ポートをさらに画定し、音声通路が、本体部分に沿ってボスの開口部と音声ポートとの間に画定される、本体部分と、
音声通路を通じて音声ポートへ音を送るように位置決めされたスピーカと、
を備えることができる。
【００２０】
本発明による一実施形態では、ストラップアームが、後方空間ユニットを備えることができ、後方空間ユニットは、エンクロージャ部分と、ボスの開口部を通して挿入される円筒柱であって、第２の開口部を画定することができ、スピーカが、スピーカによって送られる音を増強するために、スピーカの裏側がエンクロージャ部分の内表面に面した状態で第２の開口部内に位置決めされて、内表面とスピーカの裏側との間に後方空間を画定することができ、スピーカからの音の少なくとも一部分が、後方空間から音声通路を通じて伝送され得る、円筒柱と、を含む。
【００２１】
スピーカは、本体部分のボスの開口部内に位置決めされてもよく、スピーカの表側は、音声通路に面してもよい。
【００２２】
ボスは、前部剛性本体の第２の開口部を貫通して、ストラップアームを前部剛性本体に回転可能に接続することができ、エンクロージャ部分は、前部剛性本体内で第２の開口部の第１の側上に位置決めされてもよく、ストラップアームの本体部分は、前部剛性本体の外側で第２の開口部の第２の側上に位置決めされてもよい。
【００２３】
本発明による一実施形態では、ストラップアームが、本体部分の一方の端部に位置する後部ループ、および、本体部分の他方の端部に位置する前部ループを含むことができ、後部ループおよび前部ループは、ストラップを受容する。
【００２４】
本体部分は、前部ループおよび後部ループを通して挿入されるストラップに面する支持表面を含み得る。
【００２５】
音声ポートは、ボスを含む本体部分の側上で前部ループよりも後部ループに近い位置に形成され得る。
【００２６】
本体部分は、ベース部分、および、ベース部分に固定されるカバー部分を含むことができ、音声通路は、ベース部分とカバー部分との間に画定され得る。
【００２７】
本体部分は、第２の音声通路、および、音声通路と第２の音声通路とを分離する中央リブを画定し得る。
【００２８】
本発明による一実施形態では、頭部装着ディスプレイ（ＨＭＤ）が、
ハウジングと、
ハウジングを使用者の頭部に固定するストラップに取り付けられたストラップアームであって、その側部にボスを画定する本体部分を含むことができ、ボスが、開口部を有することができ、ボスが、ストラップアームをハウジングに回転可能に接続することができ、本体部分が、開口部から音を伝送するための音声通路、および、音を出力するための音声ポートをさらに画定することができ、音声通路が、本体部分に沿ってボスの開口部と音声ポートとの間に画定され得る、ストラップアームと、
を備え得る。
【００２９】
実施形態の教示は、以下の詳細な説明を添付の図面と併せて考察することにより、容易に理解され得る。
【図面の簡単な説明】
【００３０】
【図１】一実施形態による、ストラップシステムが取り付けられたＨＭＤの例示的な斜視図である。
【図２】一実施形態による、ＨＭＤのストラップアームの斜視図である。
【図３】一実施形態による、ＨＭＤのストラップアームの斜視図である。
【図４】一実施形態による、ＨＭＤのストラップアームの斜視図である。
【図５Ａ】一実施形態による、ストラップアームのベース部分の正面図である。
【図５Ｂ】一実施形態による、ストラップアームのベース部分の斜視図である。
【図６】一実施形態による、ストラップアームの分解斜視図である。
【図７】一実施形態による、ストラップアームの断面図である。
【発明を実施するための形態】
【００３１】
図は、種々の実施形態を例示のみを目的として示すものである。
【００３２】
以下の実施形態の説明では、より完全な理解を提供するために、多数の具体的詳細が記述される。しかし、実施形態はそれらの具体的詳細のうちの１つまたは複数を伴わずに実施され得ることに留意されたい。他の例では、説明を不必要に複雑にするのを避けるために、よく知られた特徴は説明されていない。
【００３３】
本明細書では、同様の参照番号が同一のまたは機能的に類似した要素を示す図を参照して、実施形態が説明される。また、図では、各参照番号の最も左の数字が、その参照番号が最初に使用されている図に対応する。
【００３４】
実施形態は、ＨＭＤによって生成された音を使用者の耳へ送達するための音声通路および音声ポートを組み込むストラップアームを含むストラップシステムに関する。ストラップアームは、ストラップアームをＨＭＤの後方空間ユニットに回転可能な形で連結する円筒形ボスを有する。ストラップアームは、頭部ストラップを固定するためのループを有し、かつ、後方空間ユニット内のスピーカから生成された音を送達する音声通路を有して形成される。ストラップアームは、頭部ストラップを固定しかつＨＭＤから生成された音を使用者の耳へ伝送する機能を果たす。
【００３５】
図１は、一実施形態による、ストラップシステムが取り付けられたＨＭＤの例示的な斜視図である。ＨＭＤは、いくつかある構成要素の中でも、前部剛性本体１００（または、「本体１００」）、および本体１００に取り付けられた顔面接合部１１８を含む。本体１００は、表示パネル、光学素子、および回路（図示せず）などの種々の構成要素を含む。顔面接合部１１８は、本体１００よりも柔軟な材料で作られて、ＨＭＤが使用者によって着用されるときに使用者の顔面と接触する。いくつかの実施形態では、ＨＭＤは、本体１００とは異なるタイプのハウジングを含む。
【００３６】
本体１００は、両側（すなわち、左側および右側）にストラップ１３０が取り付けられる。図１に示されるように、ストラップ１３０の左部分（または、「左ストラップ１３０」）は、左ストラップアーム１２０の前部ループ１２２および後部ループ１２４に固定される。左ストラップアーム１２０は、矢印によって示されるような方向に回転可能な形で本体１００に固定される。ストラップ１３０をストラップアーム１２０に固定するために、左ストラップ１３０は、最初にループ１２４に通され、次いでループ１２２に通され、そして図１に示されるように折り重ねられる。左ストラップ１３０の重なりは、左ストラップ１３０の長さを制御するために調節され得る。左ストラップ１３０の裏側および左ストラップ１３０の表側にはベルクロが取り付けられており、したがって、ストラップ１３０の端部は、使用者が左ストラップ１３０の裏側を左ストラップ１３０の表側に押し付けると、しっかりと固定される。バックル取付け具などの他のタイプの調節可能な機械的取付け具も、ストラップとストラップアームとの間で使用され得る。左右のストラップの長さおよびＨＭＤの傾斜角度を制御することにより、使用者はＨＭＤを快適に装着することができる。
【００３７】
ストラップ１３０の右部分（または、「右ストラップ」）は、同じように右ストラップアーム（図示せず）を使用してＨＭＤの右側に取り付けられる。
【００３８】
開口部１３４が本体１００に形成されて、ストラップ１３０の中央ブリッジ１１２の端部を受容する。中央ブリッジ１１２の端部は、本体１００の縁部の下に挿入されて、開口部１３４を貫通する。開口部１３４から延在する中央ブリッジ１１２の端部は、中央ブリッジ１１２の別の部分上に折り返り、中央ブリッジ１１２の他方の部分と重なって、中央ブリッジ１１２を本体１００に固定する。中央ブリッジ１１２は、中央ブリッジ１１２の端部分が中央ブリッジ１１２の他の部分に押し付けられたときにその中央ブリッジ１１２の他の部分に固定されるように、中央ブリッジ１１２の上面および下面にベルクロ（または、何らかの他のタイプの取付け具）を含み得る。使用者は、中央ブリッジ１１２の端部分をその中央ブリッジ１１２の他の部分から取り外し、中央ブリッジ１１２の端部分が取り付けられる中央ブリッジ１１２の位置を変えることにより、中央ブリッジ１１２の長さを調節することができる。中央ブリッジ１１２の長さを調節することにより、使用者は、ストラップアーム１２０を通して使用者の耳へ音を向けるように、ストラップアーム１２０の向きを本体１００に対して調節することができる。
【００３９】
図２から図４は、一実施形態による、ＨＭＤのストラップアーム１２０の斜視図である。ストラップアーム１２０は、前部ループ１２２と後部ループ１２４との間に画定された本体部分２３２、後方空間ユニット２１０、および、スピーカ６１２を有する。スピーカ６１２は、図６および図７に示されるように、本体部分２３２および／または後方空間ユニット２１０内に位置決めされる。本体部分２３２は、ループ１２２、１２４を通して挿入されたストラップ１３０の一部分およびループ１２２から折り返されたストラップ１３０の部分を支持する、支持表面２４０を含む。支持表面２４０は、折り返された部分をループ１２２、１２４間のストラップ１３０の部分上に固定するために使用者によりストラップ１３０の折り返された部分とループ１２２、１２４間に延在するストラップ１３０の部分とが押し付けられ得る表面として機能する。
【００４０】
後方空間ユニット２１０は、エンクロージャ部分６１４、およびエンクロージャ部分６１４から（例えば、図６に示されるように）突出する円筒柱６１６を含む。スピーカ６１２から生成された音をストラップアーム１２０の（例えば、図５Ａに示されるような）音声通路５１２Ａ、５１２Ｂに向かって反響させることができる空洞を提供するエンクロージャ部分６１４。後方空間ユニット２１０は、音声ポート４１２を介して使用者に提供される音の質および／または音量を増強する。いくつかの実施形態では、エンクロージャ部分６１４は、円筒柱によって画定される直径よりも大きい直径を画定する円筒形状を有する。
【００４１】
ストラップアーム１２０は、ＨＭＤの本体１００の側部に形成された開口部に受容される円筒形ボス３１０を含む。ストラップアーム１２０は、ボス３１０の中心のまわりで本体１００に対して回転することができる。ストラップアーム１２０の円筒形ボス３１０は、後方空間ユニット２１０の円筒柱６１６を保持する開口部５１６を画定する。
【００４２】
スピーカ６１２は、音声通路５１２Ａ、５１２Ｂを通じて音声ポート４１２へ音を送るように位置決めされる。いくつかの実施形態では、スピーカ６１２は、図７に示されるように円筒柱６１６内に挿入される。具体的には、スピーカ６１２は、円筒柱６１６がボス３１０によって画定された開口部５１６内に位置決めされた状態で、後方空間ユニット２１０の円筒柱６１６によって画定された開口部６１８内に位置決めされる。スピーカ６１２は、スピーカから送られる音を増強するために、スピーカ６１２の裏側がエンクロージャ部分６１４の内表面に面した状態で開口部６１８内に位置決めされて、内表面とスピーカ６１２の裏側との間に後方空間を画定する。スピーカ６１２からの音の少なくとも一部分は、後方空間から音声通路５１２Ａ、５１２Ｂを通じて伝送されて、音声ポート４１２において出力される。スピーカ６１２の表側は、音声通路５１２Ａおよび５１２Ｂによって画定されたストラップアーム１２０内の空間に面する。
【００４３】
円筒形ボス３１０は、本体１００の開口部を貫通して、ストラップアーム１２０を本体１００に取り付ける。後方空間ユニット２１０のエンクロージャ部分６１４は、本体１００内で本体１００の開口部の第１の側上に位置決めされ、ストラップアーム１２０の本体部分２３２（音声通路５１２Ａ、５１２Ｂ、および音声ポート４１２を含む）は、本体１００の外側で本体１００の開口部の第２の側上に位置決めされる。
【００４４】
ストラップアーム１２０の本体部分２３２は、ベース部分６２０およびカバー部分６３０を含み得る。図５Ａは、ストラップアーム１２０のベース部分６２０の正面図である。ベース部分６２０は、ループ１２２、１２４を含み、かつ、本体部分２３２に沿ってボス３１０の開口部５１６から音声ポート４１２まで延在する音声通路５１２Ａ、５１２Ｂを含む本体部分２３２を有する。音声通路５１２Ａ、５１２Ｂは、中央リブ５２２によって分離される。いくつかの実施形態では、音声通路５１２Ａ、５１２Ｂは、中央リブ５２２を画定する突出部によって分離されたベース部分６２０内の凹部によって画定される。ベース部分６２０およびカバー部分６３０が結合されると、中央リブ５２２間のベース部分６２０内の凹部により、ベース部分６２０とカバー部分６３０との間に音声通路５１２Ａ、５１２Ｂが画定される。
【００４５】
スピーカ６１２によって生成された音は、音声通路５１２Ａ、５１２Ｂを通って音声ポート４１２へ移動する。さらに、スピーカ６１２によって生成された音のうちの一部または全部が、後方空間ユニット２１０によって増強され、次いでストラップアーム１２０により、音声通路５１２Ａ、５１２Ｂを通じて音声ポート４１２へ向けられ得る。音声ポート４１２は、使用者がＨＭＤを着用しているときに音声ポート４１２からの音が前進されるまたは使用者の耳へ向けられるように、配置および配向される。ベース部分６２０の本体部分２３２は、図６に示されるように、カバー部分６３０によって覆われる。
【００４６】
図５Ｂは、一実施形態による、ストラップアーム１２０のベース部分６２０の斜視図である。音声ポート４１２およびボス３１０は、本体部分２３２の同じ側上に形成されて、音を使用者の耳へ向ける。ＨＭＤが使用者によって着用されるとき、音声ポート４１２は、使用者の耳の近くに位置決めされ得る。音声ポート４１２は、音声通路５１２Ａ、５１２Ｂに接続されて音を（例えば、使用者の視点からすれば）逆方向に使用者の耳へ伝送する、ストラップアーム１２０の切り開かれた区間である。
【００４７】
図６は、一実施形態による、ストラップアーム１２０の分解斜視図である。スピーカ６１２は、上述のように、円筒柱６１６内に挿入される。スピーカ６１２の信号線（図示せず）が、ＨＭＤ内の音声回路から後方空間ユニット２１０を介してまたは円筒柱６１６とボス３１０との間の間隙を通って延在し得る。いくつかの実施形態では、後方空間ユニット２１０は、後方空間のための密閉された空洞を形成するために結合される、２つの別個のクラムシェル部分から形成される。信号線（例えば、ワイヤ）は、結合される部分の接合面間に延在し、接合面およびワイヤは、後方空間のための密閉された空洞を維持するためのシールを形成する。
【００４８】
後方空間ユニット２１０の円筒柱６１６は、スピーカ６１２が円筒柱６１６の開口部６１８内に設置された状態で、ボス３１０の開口部５１６内に挿入される。カバー部分６３０は、音声通路５１２Ａ、５１２Ｂを包囲してスピーカ６１２によって生成された音を音声ポート４１２へ伝送するために、ベース部分６２０上に配置される。
【００４９】
図７は、一実施形態による、組み立てられた状態におけるストラップアーム１２０の断面図である。スピーカ６１２は、円筒柱６１６内に設置され、かつ、その表側を音声通路５１２Ａ、５１２Ｂに向けている。図７に示されるように、スピーカ６１２の表側（または、膜）は、全体的に、後方空間ユニット２１０の後部内表面部分および本体部分２３２に平行に位置合わせされる。
【００５０】
種々の実施形態では、スピーカ６１２は、ストラップアーム１２０の様々な位置に位置決めされ得る。例えば、スピーカ６１２は、図７に示されるように、後方空間ユニット２１０の円筒柱６１６に取り付けられ得る。さらに別の例では、スピーカ６１２は、後方空間ユニット２１０のエンクロージャ部分６１４内に位置決めされる。この場合、スピーカ６１２のサイズは、ボス３１０によって画定される開口部５１６よりも大きくされ得る。これらの実施形態は、スピーカ６１２を取り外すことなくストラップアームの本体部分２３２がＨＭＤの本体１００から分離されることを可能にし、したがって、ストラップアーム１２０の本体部分２３２は（例えば、交換のために）より容易に着脱することができる。
【００５１】
他の実施形態では、スピーカ６１２は、本体１００の外側でストラップアーム１２０の本体部分２３２に取り付けられる。例えば、スピーカ６１２は、ストラップアーム１２０の本体部分２３２の円筒形ボス３１０に取り付けられ得る。別の例では、スピーカ６１２は、ベース部分６２０ではなくカバー部分６３０に取り付けられる。スピーカ６１２がベース部分６２０に取り付けられるかカバー部分６３０に取り付けられるかにかかわらず、スピーカ６１２は、開口部５１６内、または開口部５１６から遠く音声ポート４１２により近い位置などの、様々な位置に位置決めされ得る。
【００５２】
実施形態に関する上記の説明は、例示の目的のために提示されたものであり、完全を期すことまたは実施形態を開示された正確な形態に限定することを意図したものではない。当業者であれば、上記の開示を踏まえて多くの変更および変形が可能であることを理解することができる。
【００５３】
最後に、本明細書において使用される言語は、読みやすさおよび説明の目的のために主に選択されており、本発明の主題を正確に記述するまたは区分するために選択されることはないであろう。したがって、範囲はこの詳細な説明によって限定されるのではなく、むしろ本発明に基づく出願時に発行されたいずれかの請求項によって限定されることが意図されている。したがって、実施形態の開示は、以下の特許請求の範囲に記載されている範囲を限定するのではなく例証するものであることが意図されている。
【図１】
2020511828.tif 000003
【図２】
2020511828.tif 000004
【図３】
2020511828.tif 000005
【図４】
2020511828.tif 000006
【図５Ａ】
2020511828.tif 000007
【図５Ｂ】
2020511828.tif 000008
【図６】
2020511828.tif 000009
【図７】
2020511828.tif 000010
【国際調査報告】
2020511828.tif 000011
2020511828.tif 000012
2020511828.tif 000013
2020511828.tif 000014
2020511828.tif 000015